(57)【要約】【課題】  カードの取り出しを容易化したカードホルダーを得ること。【解決手段】カードを収納するカードホルダー１であって、薄板状のカードを縦方向に収納しカードの低部を保持するための一の底面部１２と、カードの少なくとも左右何れか一の側面部を保持する側面部１１とを有して構成される。本構成において、カードの外辺と当接するカードホルダー１の、底面部１２及び／叉は側面部１１の少なくとも一の内側の壁面が、ケース状のカードの平面に対する前後方向において、所定角度の傾斜を有している。本構成のカードホルダー１によれば、収納された前後のカード間に段差が形成される。このため、カード間の仕分けが容易化する。このカード間の仕分けの容易化は、ケースからの個別カードの引き抜きや、カード間への新たなカードの挿入の実行が、容易化する。特に、プラスチック製等の、より薄いカードの仕分けが容易化する。【選択図】        図１
2008119982.tif 000002
【特許請求の範囲】
【請求項１】
薄板状の学習用カードの外周辺と前面及び後面とを保持し、且つ上側および一の側面側が開放された開放型のカードホルダーであって、
前記カードの底辺を保持するための底辺保持部と、
前記カードの少なくとも左右何れか一の側辺を保持する側辺保持部と、
前記カードの前面を保持する前面保持部および後面を保持する後面保持部とを有し、
前記学習カードの外周側辺が当接する、前記底辺保持部及び／叉は前記側辺保持部の内の少なくとも一の内側の壁面が、収納される前記学習カードの前面及び後面方向に対して、所定の傾斜角度を有する形態で構成された事を特徴とするカードホルダー。
【請求項２】
前記所定の傾斜角度を、断面が略三角形の三角形状体を用いて構成した事を特徴とする請求項１記載のカードホルダー。
【請求項３】
前記前面保持部が、対向するカードの前面部に対して外側へ所定の傾斜を有して形成され、該カードホルダーへ収納された最前部のカードと前記前面保持部との間に空間部を構成し、該空間部を用いて該ホルダーへの新たなカードの収納を、容易化した事を特徴とする請求項１または２に記載のカードホルダー。
【請求項４】
前記カードホルダーは、前記カードを収納するカード収納部と筒形状のケースとの二つの構成部を有して構成され、前記筒形状のケースの内側側面に誘導レールを設け、該誘導レールに沿ってスライド状に前記ケースの内部へ、前記ケースを収容可能とした事を特徴とする請求項１から請求項３の何れか１に記載のカードホルダー。
【請求項５】
前記カード収納部と前記ケースの二つを相互に機械的に連結し且つ着脱可能とする連結部を少なくとも何れか一の端部に設け、前記連結の状態で前記カード収納部の下側側面と前記ケースの一の側面とを相互に当接させ、該当接させた相互を片手で安定的に保持可能とした事を特徴とする請求項４に記載のカードホルダー。
【請求項６】
前記カード収納部の底辺近傍であって、外面側の前後方向に所定の溝が構成され、前記ケースの開放側端部と一方の端部とが連結された柔軟構造のベルトを有し、該ベルトの他方の端部が前記溝と機械的に前後方向へ可動に連結され、前記カード収納部が、前記ケースから引き抜き可能且つ前記連結維持の関係が保持されて構成された事を特徴とする請求項５に記載のカードホルダー。
【発明の詳細な説明】
【技術分野】
【０００１】
本発明は、カードホルダーに関するものである。
【背景技術】
【０００２】
【特許文献１】特開２００２−２２１８９０号公報
【特許文献２】特開平８−１６０８４号公報
【特許文献３】特開平１１−３３４４４５号公報
【特許文献４】特開２００５−３５１７９号公報
【０００３】
従来から、英単語や歴史年表、化学式、数学公式などの暗記に、所謂単語帳を使用している人が多いことは周知の事実である。従来の単語帳には、短冊状の複数のカードが束ねられており、その各カードの表面側を質問欄、裏面側を解答欄として使用している（例えば、特許文献１、２参照）。さらに、カードホルダー本体を出没自在に自動車の内装パネルに収容し、プリペイカード等のカードの出し入れを容易化し、使い勝手の向上を図っている（特許文献３参照）。
【０００４】
また、このような従来の暗記手段として、近年のパーソナルコンピュータの普及に伴い、このコンピュータを利用した暗記用ソフト等も各種見受けられる。なお、この暗記用ソフトは、大容量のものには適しているが、携帯性に劣るといった問題点があることから、依然として単語帳等を利用する受験生も多く見受けられる。
【０００５】
特許文献４には、同一面に質問欄と解答欄とが位置しており、しかもカードホルダーにより少なくとも解答欄が利用者側から見えないような状態でカードが複数枚収納されている暗記用カードユニットが記載されている。この暗記用カードユニットでは、問題と解答とが同一面に表記されているものでありながら常時は解答を見ることができないといった機能性を担保することができる。
しかし、暗記し終わったカードと未だ暗記し切れていないカードとを別途に収納することができず、同一の収納場所に収納せざるを得ない。
【発明の開示】
【発明が解決しようとする課題】
【０００６】
しかしながら、従来一般的な単語帳は、１枚の表裏を使用している。このため、問題と解答を照らし合わせるための捲り作業時に、同時に２枚のカードを捲たり、質問とは異なる解答を見て間違って覚えてしまう等の、不具合が生じていた。また、前後に位置するカードの裏面と表面とが対向していることから、繰り返しの使用により、両者の鉛筆部分が擦れ合って見難くなってしまう問題点も、生じている。
【０００７】
本発明は、上記問題点を解決するため、問題と解答とが同一面に表記され、且つ、常時は解答を見ることができない等の機能性を担保し、さらに、暗記用として操作性・利便生を高めたカードホルダーを提供することを目的とする。
本発明は、暗記し終わったカードと暗記し終えていないカードとを峻別して収納することができるカードホルダーを提供することを目的とする。
【課題を解決するための手段】
【０００８】
その目的を達成するため、請求項１に記載のカードホルダーは、薄板状の学習用カードの外周辺と前面及び後面とを保持し、且つ上側および一の側面側が開放された開放型のカードホルダーであって、カードの底辺を保持するための底辺保持部と、カードの少なくとも左右何れか一の側辺を保持する側辺保持部と、カードの前面を保持する前面保持部および後面を保持する後面保持部とを有し、学習カードの外周側辺が当接する、底辺保持部及び／叉は側辺保持部の内の少なくとも一の内側の壁面が収納される学習カードの、前面及び後面方向に対して所定の傾斜角度を有する形態で、構成されたことを特徴としている。
【０００９】
また、請求項２記載の発明では、請求項１記載のカードホルダーにおいて、上記所定の傾斜角度を、断面が略三角形の三角形状体を用いて構成した事を特徴とする。
【００１０】
請求項３記載の発明では、請求項１または２に記載のカードホルダーにおいて、前面保持部が、対向するカードの前面部に対して外側へ所定の傾斜を有して形成され、このカードホルダーへ収納された最前部のカードと前面保持部との間に空間部を構成し、この空間部を用いて該ホルダーへの新たなカードの収容を、容易化した事を特徴としている。
【００１１】
請求項４記載の発明では、請求項１から請求項３の何れか１に記載のカードホルダーは、上記カードを収納するカード収納部と筒形状のケースとの二つの構成部を有して構成され、上記筒形状のケースの内側側面に誘導レールを設け、該誘導レールに沿ってスライド状にケースの内部へ、ケースを収容可能とした事を特徴としている。
【００１２】
請求項５記載の発明では、請求項４に記載のケースは、上記のカード収納部とケースの二つを相互に機械的に連結し且つ着脱可能とする連結部を少なくとも何れか一の端部に設け、上記連結の状態でカード収納部の下側側面とケースの一の側面とを相互に当接させ、当接させた相互を片手で安定的に保持可能とした事を特徴としている。
【００１３】
請求項６記載の発明では、請求項５に記載のカードホルダーは、カード収納部の底辺近傍であって、外面側の前後方向に所定の溝が構成され、ケースの開放側端部と一方の端部とが連結された柔軟構造のベルトを有し、このベルトの他方の端部が溝と機械的に前後方向へ可動に連結され、カード収納部が、ケースから引き抜き可能且つ連結維持の関係が保持されて構成された事を特徴としている。
【発明の効果】
【００１４】
本発明のカードホルダーは、学習カードの外周側辺が当接する、底辺保持部及び／叉は側辺保持部の内の少なくとも一の内側の壁面が、収納される学習カードの前面及び後面方向に対して、所定の傾斜角度を有する形態で構成されている。本構成のカードホルダーへカードを、カードホルダーの壁面に沿って収納すると、カードの端面に傾斜が生じる。この傾斜のためにカード毎の分離・分別が容易化し、カードのホルダーからの個別カードの取り出しが容易化する。
特に、暗記し終わったカードと暗記し終えていないカードとを峻別して別途のケース内に収納することができるので、次回には、暗記し終えていないカードのみを用いて暗記作業を行うことができる。
【００１５】
請求項２記載の発明では、請求項１に記載のカードホルダーの傾斜を、断面が略三角形の三角形状体を用いて構成し、上記カードの端面への傾斜の発生を確実化している。
【００１６】
請求項３記載の発明では、請求項１または２に記載のカードホルダーの前面保持部が、対向するカードの前面部に対して外側へ所定の傾斜を有して形成され、このカードホルダーへ収納された最前部のカードと前面保持部との間に空間部を構成し、該空間部を用いて該ホルダーへの新たなカードの収納を、容易化している。
【００１７】
請求項４記載の発明では、請求項１乃至３の何れかに記載のカードホルダーは、カードを収納するカード収納部と筒形状のケースとの二つの構成部を有して構成され、この筒形状のケースの内側側面に誘導レールを設け、誘導レールに沿ってスライド状にケースの内部へ、ケースを収容可能としている。
【００１８】
請求項５記載の発明では、請求項４に記載のカードホルダーにおいて、カード収納部とケースの二つを相互に機械的に連結し且つ着脱可能とする連結部を少なくとも何れか一の端部に設け、この連結の状態でカード収納部の下側側面とケースの一の側面とを相互に当接させ、当接させた相互を片手で安定的に保持可能としている。
【００１９】
請求項６記載の発明では、請求項５に記載のカードホルダーにおいて、カード収納部の底辺近傍であって、外面側の前後方向に所定の溝が構成され、ケースの開放側端部と一方の端部とが連結された柔軟構造のベルトを有し、該ベルトの他方の端部が溝と機械的に前後方向へ可動に連結され、カード収納部が、ケースから引き抜き可能且つ連結維持の関係が保持可能としている。
【発明を実施するための最良の形態】
【００２０】
次に、本発明のカードホルダーの構成内容および使用例を、図１〜図１０の図面に基づいて説明する。
【実施例１】
【００２１】
図１及び図２は、本発明のカードホルダーの実施例１を示している。これらの図において、図１は、カード収納部１の構成例を示す斜視図である。また図２は、図１に示したカード収納部１を、該カード収納部にカードを収容した状態で全体を収納する、カードケース２の構成例を説明するための側面図である。
【００２２】
図１において、カード収納部１には、該図面中に使用時に適応するカードの状態は不図示であるが、該カードの縦方向の側面部を保持する側面保持部１１と、カードの底面部を保持する底面保持部１２と、カードの前面部を保持する前面保持部１３と、カードの後面部を保持する後面保持部１４とを有して構成される。
なお、前面保持部１３と後面保持部１４のそれぞれの下方端部は、各々が内側に曲げられ、屈曲端部１３１、１４１が構成されている。
【００２３】
図２は、図１に示したカード収納部１を収容するカードケース２の側面図であり、外形が略長四辺形の筒状体を開口側から見た図である。本カードケース２は、筒状体の筒部２０と、該筒部２０の内部に設けられたレール部２１とを有して構成される。
【００２４】
図１に示したカード収納部１と図２に示したカードケース２との関係は、カード収納部１が図２に示したカードケース２の開放口側から内部空間部へ収まる、カードホルダーの本体（カード収納部１）と該本体を収容するケース（カードケース２）との関係にある。これら本体（１）とケース（２）とは、本体の屈曲端部１３１、１４１が、カードケース２のレール部２１へ勘合されて収まる関係で、構成されている。なお、本体（１）とケース（２）とは、カード収納部１へ不図示のカードが搭載された状態で、収容可能に構成される。
【００２５】
カード収納部１の構成部において、カードの一方の側面部を保持する側面保持部１１は、該カード収容部１へ搭載・収容されるカードの、縦方向の側面が当接される一の壁面部である。また、カードの底面部を保持する底面保持部１２は、該カード収容部１へ搭載・収容されるカードの、下方向の側面が当接される壁面部である。
【００２６】
これらの側面保持部１１と底面保持部１２は、断面が略三角形の三角形状体（クサビ形状体）を用いて構成されている。これらの実施例１の側面保持部１１と底面保持部１２は、既述のように前後を前面保持部１３と後面保持部１４とにより侠持されている。また、前面保持部１３と後面保持部１４とは、逆Ｌ字状に切り欠き部が設けられている。前面保持部１３は、搭載されるカードの前面側を規制し、後面保持部１４は、搭載されるカードの後面側の位置を規制する関係にある。なお、前面保持部１３は、後面保持部１４と比較して、逆Ｌ字状の切り欠き部がより大きく構成される。本構成の理由は、収納されるカード面の可視面積をより大きく確保するためである。
【００２７】
本実施例１の特徴点として、側面保持部１１と底面保持部１２に、断面が略三角形（クサビ形）の三角形状体を用いている事項がある。より厳密には、上記の三角形は、一方のより長尺辺が一の短尺辺に対して９０度であり、他方のより長尺辺が上記一の短尺辺に対して９０度以下の傾斜角度で構成される。本構成の内容は、図１中の底面保持部１２の側面形状で知れる。また、側面保持部１１も同一形状体である。
【００２８】
本カードホルダーの第１の特徴点は、上記の様に、側面保持部１１と底面保持部１２の断面が、略三角形のクサビ型をした三角形状体（楔形状体）を用いて構成されている点にある。本構成によれば、ホルダー内へ収納された複数のカード間の、側面保持部１１と底面保持部１２とに沿った各々の位置関係において、前後のカード間に段差が形成される。本段差は、側面保持部１１によって、カードの対向する側面の前後のカード間に形成される。また、底面保持部１２によってカードの対向する上面の前後のカード間に、同様に段差が形成される。
【００２９】
上記構成内容に基づく本実施形態のカードホルダーによれば、既述の様に、収納された前後のカード間に段差が形成される。このため、カード間の仕分けが容易化する。このカード間の仕分けの容易化は、ケースからの個別カードの引き抜きや、カード間への新たなカードの挿入の、実行の容易化へ通じる。
特に、プラスチック製等の、より薄いカードの仕分けが容易化する。故に、より多くの枚数の、カードの収容化に伴って生じ易い、取り扱い上の困難化を軽減化可能となる。また、カード面の端部が見えるため、カード種別の識別の容易化が容易となる。
【００３０】
（実施例１に対応する変化例）
図３、図４、図５は、上記図１の変化例を示した図である。これらの内の図３は、図１に対応した変化例を示した斜視図である。本変化例の要点は、図１における前面保持部１３の形態を変化させた点にある。また図４は、図３中の３ａ部分を上面側から見た図である。図５は、図３中の３ｂ部分を側面側から見た図である。
【００３１】
上記図４及び図５から知れる様に、本変化例では、図１中の前面保持部１３を、図中の右側（暗記用のカードケースの前面側）へ、傾斜を持たせた構造としている。本構造の内容は、図３中の部分３ａ及び部分３ｂに示されている。また、これらの構成内容の詳細は、部分３ａに対応する図４および部分３ｂに対応する図５に示されている（参照；図４の３１ａ、図５の３１ｂ）。
本構成とすることにより、収納カードのカードケースからの取り出し、およびカードケースへの新たなカードの装填の実行が、容易化する。
【００３２】
［適応例］
図６から図１０は、適応例を示し、図６及び図７が適応例１、図８及び図９が適応例２、図１０が適応例３を夫々示している。これらの適応例は、カード収容部４１、５１、６１から取り出したカードを収容するカードケース４２、５２、６２を、新たに設けた実施例である。また、図１０は、カード収容部６１と全体を収容するカードケース６２とを、相互にベルトで連結した実施例を示している。これら適応例の内容を、以下に詳述する。
【００３３】
（適応例１）
図６及び図７は、本発明のカードホルダーの適応例１を示し、図６がカード収容部４１とカードケース４２を、図７が使用時の操作手順例を、それぞれ表している。これらの図において、本適応例例１の特徴点として、カード収納部４１の底面部の端部に、引っ掛け部４１１が設けられている。また、カードケース４２の左右内壁面の下方に、レール４２１、４２２が設けられている。
【００３４】
一方の引っ掛け部４１１は、チャンネル構造体をカード収容部４１の端部下方へ突出した形態で設けて、構成されている。この引っ掛け部４１１は、外側ケース４２の端部へチャンネル構造体（４１１）が引っ掛けられ、この引っ掛け部４１１を支点として外側ケース４２を回転可能としている。
図７の（イ）〜（二）は、上記内側ケース４１と外側ケース４２の操作手順例を説明するための図であり、二つの構成部（４１、４２）の操作時の関連性を時系列に表している。これらの図において、以下に操作手順例を示す。
【００３５】
（イ）カード収容部４１に対して、カードケース４２をスライドさせる。
（ロ）カード収容部４１の一方の端部と、カードケース４２の一方の端部とが重複関係となるまでスライドさせる。
（ハ）上記ロの位置関係において、引っ掛け部４１１を支点として、カードケース４２を回転させる。
（ニ）カードケース４２を１８０度回転させ、カードケース４２の一方の側面を、カード収容部４１の底面部へ当接させる。
上記手順によって得られる状態（ニ）を、保持する。本保持状態（ニ）において、カード収容部４１から取り出したカードを、カードケース４２内へ、簡便且つ容易に収納可能と成る。
【００３６】
（適応例２）
図８及び図９は、本発明のカードホルダーの適応例２を示し、図８がカード収容部５１とカードケース５２を、図９が使用時の操作手順例を、それぞれ表している。これらの図８及び図９において、カード収納部５１の左右内壁面の下方に、レール５１１、５１２が設けられている。また、カードケース５２の底面部の端部に、引っ掛け部５２１が設けられている。
【００３７】
一方の引っ掛け部５２１は、チャンネル構造体をカードケース５２の端部下方へ突出した形態で設けて、構成されている。この引っ掛け部５２１は、カードケース５１の端部へこのチャンネル構造体（５２１）が引っ掛けられ、この引っ掛け部５２１を支点として外側ケース５２を回転可能としている。
図９の（イ）〜（二）は、上記外側ケース５２と内側ケース５１の操作手順例を説明するための図であり、二つの構成部の関連性を時系列に表している。これらの図において、以下に操作手順例を示す。
【００３８】
上記のカード収納部５１とカードケース５２の連結状態において、カードケース５２はカード収納部５１に対して、レール５１１、５１２上を、可動範囲内において前後移動が可能とされる。
カードケース５２は、最大引出し位置では、このカードケース５２をカード収納部５１に対して、チャンネル構造体（５２１）を軸として、回転が可能とされる。本回転の結果、カードケース５２を回転させ、カードケース５２の低部とカード収納部５１の低部とを相互に当接させ、適応例１と同様に保持することが可能となる。
【００３９】
（適応例３）
図１０は、本発明のカードホルダーの適応例３を示している。図１０において、カード収納部６１の外壁面左右の側面下方部に、溝６１１が設けられている。本溝６１１は、外壁面の前後移動方向に構成される。なお、溝６１１は、側面Ｌ字状のカード収納部６１の下辺先端側（図１０の右側端部）には、ストッパー６１２が設けられている。本ストッパー６１２により、カード収納部６１とカードケース６２とが、相互に連結状態が確保される。本内容を以下に詳述する。
カードケース６２の開口側の、底面部の端部に、ベルト状の連結部６２２が取付けられている。また、上記ベルト状の連結部６２２の先端には、連結具（６２１）が設けられている。本連結具は、例えば、先端部がボール形状体６２１であり、上に記載の溝６１１へ前後移動可能状態で連結される。なお、上記のボール形状体６２１は、上に記載の溝６１１の左側において前後移動可能状態であり、右側部分ではストッパー６１２によって移動が制限される。
【００４０】
＜操作手順例＞
（イ）カード収容部６１に対して、カードケース６２を（隔離方向へ）スライドさせる。
（ロ）カード収容部６１の一方の端部と、カードケース６２の一方の端部とが隔離状態となるまでスライドさせる。
（ハ）上記ロの位置関係において、カードケース６２を回転させる。
（ニ）カードケース６２を１８０度回転させ、カードケース６２の一方の側面を、カード収容部６１の底面部へ当接させる。
上記手順によって得られる状態（図７または図９のニと同様の状態）を、保持する。本保持状態において、カードをカードケース６２内へ収納可能と成る。
【００４１】
＜機能的特徴＞
上記構成に成る本適応例３のカードホルダーの、使用上における機能的な特徴点を、以下に説明する。
図１０において、上に既述の内側ケース６２は、カードを収納するためのケースである。また、外側ケース６２は、内側ケース６１を収容するためのケースである。外側ケース６２が、内側ケース６１に対して、１８０度回転可能な機能が構成される。また、本実施例では、内側ケース６１と外側ケース６２間の連結が、常時確保される。
【００４２】
＜特長点の比較＞
該図面中に、使用時に適応するカードは不図示であるが、図１に相当する該カードの縦方向の側面部を保持する側面保持部と、カードの底面部を保持する底面保持部と、カードの前面部を保持する前面保持部と、カードの後面部を保持する後面保持部とを有して構成されている。
【００４３】
図２に示したカードケース２は、外形が略長四辺形の筒状体を開口側から見た、側面図である。本カードケース２は、筒状態の筒部２０と該筒部２０の内部に設けられたレール部２１とを有して構成される。
【００４４】
図１に示したカード収納部１と図２に示したカードケース２との関係は、カード収納部１が、図２に示したカードケース２の内部空間部へ収まるカードホルダーの本体（１）と、該本体を収容するケース（２）との関係にある。これら本体（１）とケース（２）とは、本体の屈曲端部１３１、１４１が、カードケース２のレール部２１へ勘合されて収まる関係で、構成されている。なお、本体（１）とケース（２）とは、カード収納部１へ不図示のカードが搭載された状態で収容可能に、構成されているものとする。
【００４５】
カード収納部１の構成部において、カードの一方の側面部を保持する側面保持部１１は、該カード収容部１へ搭載・収容されるカードの、縦方向の側面が当接される一方の壁面部である。また、カードの底面部を保持する底面保持部１２は、該カード収容部１へ搭載・収容されるカードの、下方向の側面が当接される壁面部である。
【００４６】
これらの側面保持部１１と底面保持部１２は、断面が略三角形のクサビ型をした楔形状体を用いて構成されている。これらの実施例１の側面保持部１１と底面保持部１２は、既述のように前後を前面保持部１３と後面保持部１４とにより侠持されている。また、前面保持部１３と後面保持部１４とは、逆Ｌ字状に切り欠き部が設けられている。前面保持部１３は、搭載されるカードの前面側を規制し、後面保持部１４は、搭載されるカードの後面側の位置を規制する関係にある。なお、前面保持部１３は、後面保持部１４と比較して、逆Ｌ字状の切り欠き部がより大きく構成される。本構成の理由は、収納されるカード面の可視面積をより大きく確保するためである。
【００４７】
本実施例１の特徴点として、側面保持部１１と底面保持部１２に、断面が略三角形の楔形状体を用いている事項がある。本実施例１では、側面保持部１１の断面部が略三角形の形状体である。より厳密には、前記の三角形は、一方のより長尺辺が一の短尺辺に対して９０度であり、他方のより長尺辺が上記一の短尺辺に対して９０度以下の傾斜確度で構成される。本構成の内容は、図１中の底面保持部１２の側面形状で知れる。また、側面保持部１１も同一形状体である。
【００４８】
本カードホルダーの第１の特徴点は、側面保持部１１と底面保持部１２とが、断面が略三角形のクサビ型をした楔形状体を用いて構成されている点にある。本構成によれば、ホルダー内へ収納された複数のカードが、側面保持部１１と底面保持部１２とに沿った各々のカードの位置関係において、前後のカード間に段差が形成される。
本段差は、側面保持部１１によってカードの対抗する側面の前後のカード間に形成される。また、底面保持部１２によってカードの対抗する上面の前後のカード間に、同様に段差が形成される。
【００４９】
上記構成内容に基づく本実施形態のカードホルダーによれば、既述の様に、収納された前後のカード間に段差が形成される。このため、カード間の仕分けが容易化する。このカード間の仕分けの容易化は、ケースからの個別カードの引き抜きや、カード間への新たなカードの挿入の、実行の容易化へ通じる。
特に、プラスチック製等の、より薄いカードの仕分けが容易化する。よって、より多くの枚数のカード収容化に伴って生じる、取り扱い上の困難化を、軽減化可能となる。
【００５０】
＜変化例＞
図３、図４、図５は、上記図１の変化例を示した図である。これらの内の図３は、図１に対応した変化例を示した斜視図である。本変化例の要点は、図１における前面保持部１３の形態を変化させた点にある。また図４は、図３中の３ａ部分を上面側から見た図である。図５は、図３中の３ｂ部分を側面側から見た図である。
上記図４及び図５から知れる様に、本変化例では、図１中の前面保持部１３を、図中の右側（暗記用のカードケースの前面側）へ、傾斜を持たせた構造としている。本構造の内容は、図３中の部分３ａ及び部分３ｂに示されている。また、これらの構成内容の詳細は、図４および図５に示されている（参照；図４の３１ａ、図５の３１ｂ）。
本構造内容とすることにより、カードケースからのカードの取り出し、およびカードケースへの新たなカードの装填の、実行が容易化する。
【００５１】
図６から図９は、上記カードホルダーを収納カードと共に収容するケースとの、組み合わせ形態例を示している。カードの収容および取り出しを容易化したカードケースと、該ケースの特徴をより効果的に利用可能とするケースとの、組み合わせ実施例を示している。さらに詳述すると、これらの図は、カードケースからのカードの取り出し及び収容を容易化した、上に既述のカードケース（内側ケース）の特徴をより効果的に用いるための、外側ケースとの組合適用例を二例示している。
【００５２】
図１０（ａ）は、カード収容部６１と全体を収容するカードケース６２とを、ベルトで連結した実施例３を示している。なお、（ｂ）はカードケースの側面図、（ｃ）はＢ−Ｂ断面図、（ｄ）はＡ−Ａ断面図、（ｅ）は案内部材の斜視図である
本実施例のカード収納部６１の底辺近傍には、左右両外面側の前後方向に所定の溝６１１が構成されている。この溝６１１は、例えば、側面がＬ字状のカード収容部の、両側面部の底辺部に構成される。なお、上記の溝６１１の構成において、上記Ｌ字状のカード収容部の、本Ｌ字状の右端部には、ストッパー６１３が設けられる。
【００５３】
一方、カードケース６２の一端には連結ベルト６２２が設けられている。連結ベルト６２２は可撓性を有している。すなわち、連結ベルト６２２は柔軟性を有する材用から構成されている。連結ベルト６２２の一端は、カードケース６２の下壁６３２の内側の面に固定的に取り付けられている。例えば、接着剤により取り付ければよい。なお、下壁６３１の連結ベルト６２２を取り付ける側には切欠６３０が形成されている。
連結ベルト６２２の他端には案内部材６２１が固定的に設けされている。案内部材６２１は例えば、図１０（ｅ）に示すように、本体６２１ａと案内部６２１ｂとからなる。案内部６２１ｂの長さは溝６１１の幅とほぼ一致させておく。
案内部６２１ａを溝６１１に収納させて、カード収納部６１とカードケースとを係合させる。案内部６２１ｂは溝６１１に沿って案内されながら図面において左右にスライドする。
図面において、案内部６２１ｂが溝６１１の左端にあるときがカード収納部６１の全体がカードケース６１の内部に収納された状態となる。カードケース６２を右側にスライドさせると、案内部６２１ｂは溝６１１により案内されて溝６１１内を摺動する。案内部６２１ｂがストッパー６１３に達するまでカードケース６２はスライドし、ストッパー６１３に当たったときに可動限界となる。なお、可動限界をどの点におくかはストッパー６１３をどの位置に設けるかによって決まる。カードケース６２の左端とカード収納部６１の右端とが一致するようにストッパー６１３の一と案内部材６２１の長さを調整しておけばよい。
カードケース６２が右端まで来た状態において、右回りのモーメントを与えると、連結ベルト６２２は可撓性を有することから折れ曲がり、カードケース６２は、案内部材６２１の本体６２１ａの端を支点として回転する。
【００５４】
１８０°回転させたところで、カードケース６２の下壁６３１をカード収納部６１側に押し付けると、カードケース６２の下壁６３１の外面に設けられている突起６３２は溝６１１に嵌め込まれて、カードケース６２とカード収納部６１とは不動状態で結合される。
この状態で使用を開始すればよい。
【００５５】
なお、上記の実施例１乃至実施例３では、暗記用のカードケースへの適用において実施例を説明したが、本発明の適用分野は、これに限定され無い。例えば、一般的なカードの収容ケースへの適用においても、同様の効果が得られる。
【図面の簡単な説明】
【００５６】
【図１】本発明のカードホルダーの実施例１を示す外観斜視図である。
【図２】実施例１のカードホルダーを収容するケースの実施例を示す外観側面図である。
【図３】本発明のカードホルダーの実施例１に対応した変化例を示す外観斜視図である。
【図４】図３の構成部３ａの部分図である。
【図５】図３の構成部３ｂの部分図である。
【図６】本発明のカードホルダーの実施例２を示す外観斜視図である。
【図７】図６に示したカードホルダーの取り扱い手順例を示す概念図である。
【図８】本発明のカードホルダーの実施例３を示す外観斜視図である。
【図９】図８に示したカードホルダーの取り扱い手順例を示す概念図である。
【図１０】（ａ）はカード収納部がケースと連結された形態のカードホルダーの構成例を示す断面図、（ｂ）はカードケースの側面図、（ｃ）はＢ−Ｂ断面図、（ｄ）はＡ−Ａ断面図、（ｅ）は案内部材の斜視図である。
【符号の説明】
【００５７】
１、３、４１、５１、６１  カード収納部
２、４２、５２、６２  カードケース
１１  側面保持部
１２  底面保持部
１３  前面保持部
１４  後面保持部
２０  筒部
２１、４２１、４２２、５１１、５１２  レール部
３１ａ、３１ｂ  前面保持部（変化例に対応）
１３１、１４１  屈曲端部
４１１、５２１  引っ掛け部
６１１  溝
６１２  ストッパー
６１３  可動限界点
６２１  案内部材
６２２  連結ベルト
６３０  切欠
６３１  下面
６３２  突起
【図１】
2008119982.tif 000003
【図２】
2008119982.tif 000004
【図３】
2008119982.tif 000005
【図４】
2008119982.tif 000006
【図５】
2008119982.tif 000007
【図６】
2008119982.tif 000008
【図７】
2008119982.tif 000009
【図８】
2008119982.tif 000010
【図９】
2008119982.tif 000011
【図１０】
2008119982.tif 000012